(57)【特許請求の範囲】
【請求項１】
駆動源により回転駆動させられる入力シャフトと、
前記入力シャフトと同軸上に設けられた出力シャフトと、
一端が前記出力シャフトに連結され当該出力シャフトの軸周方向に配置された弾性部材と、
前記弾性部材の他端に連結され、当該弾性部材の伸縮に伴って前記出力シャフトの軸周方向に振動させられる振動子と、
前記振動子と前記入力シャフトの角速度が所定値以下のときに両者を係合させるクラッチ部材と、
前記振動子の角速度がゼロのときに前記振動子を固定部に係合させるブレーキ部材と、
前記クラッチ部材及び前記ブレーキ部材の係合及び解放タイミングを制御することで、前記弾性部材を介して前記入力シャフト及び出力シャフト間で伝達される伝達トルクを制御する制御部と、
を備えた駆動力伝達装置であって、
前記制御部は、
前記振動子の動作が、前記クラッチ部材及び前記ブレーキ部材のいずれからも解放され振動する第１フェーズ、前記クラッチ部材により前記入力シャフトと係合される第２フェーズ、前記第２フェーズ後に前記クラッチ部材及び前記ブレーキ部材のいずれからも解放され振動する第３フェーズ、及び、前記ブレーキ部材により前記固定部と係合される第４フェーズの４フェーズが繰り返されるように、前記クラッチ部材及びブレーキ部材を制御し、
前記第１フェーズにおける前記振動子の振幅である第１フェーズ振幅及び前記第３フェーズにおける前記振動子の振幅である第３フェーズ振幅から求められる、前記第２フェーズにおいて前記弾性部材に蓄積される弾性エネルギと、前記入力シャフト及び出力シャフトの角速度差とから、前記伝達トルクを求め、
求められた前記伝達トルクに応じた前記第１フェーズ振幅及び第３フェーズ振幅に基づいて、前記クラッチ部材及びブレーキ部材の係合及び解放タイミングを定める、
ことを特徴とする、駆動力伝達装置。
【請求項２】
請求項１に記載の駆動力伝達装置であって、
前記制御部は、
前記第１フェーズ及び第３フェーズの複数の候補値に対応する複数の前記伝達トルクを求め、
求められた複数の前記伝達トルクのうち、目標伝達トルクとの差異が最小の前記伝達トルクに応じた前記第１フェーズ振幅及び第３フェーズ振幅となるように、前記クラッチ部材及びブレーキ部材の係合及び解放タイミングを定める、
ことを特徴とする、駆動力伝達装置。
【請求項３】
請求項２に記載の駆動力伝達装置であって、
前記制御部は、
目標伝達トルクとの差異が最小となる前記伝達トルクに応じた前記第１フェーズ振幅及び第３フェーズ振幅の候補値の組が複数得られたときに、前記入力シャフト及び出力シャフトの角速度差から求められる最小振幅と、前記弾性部材の強度から求められる最大振幅との両者から相対的に離間した候補値の組に基づいて、前記クラッチ部材及びブレーキ部材の係合及び解放タイミングを定める、
ことを特徴とする、駆動力伝達装置。
【請求項４】
請求項２または３に記載の駆動力伝達装置であって、
前記制御部は、前記目標伝達トルクとの差異が最小となる前記伝達トルクに応じた前記第１フェーズ振幅及び第３フェーズ振幅の候補値の組が複数得られたときに、前記第１フェーズ振幅と第３フェーズ振幅の差異が相対的に大きい候補値の組に基づいて、前記クラッチ部材及びブレーキ部材の係合及び解放タイミングを定める、
ことを特徴とする、駆動力伝達装置。
【請求項５】
請求項２に記載の駆動力伝達装置であって、
前記第１フェーズ振幅及び第３フェーズ振幅の一方は固定値に設定され、
前記制御部は、
前記固定値と、前記第１フェーズ振幅及び第３フェーズ振幅の他方の複数の候補値とに対応する、複数の前記伝達トルクを求め、
前記第１フェーズ振幅及び第３フェーズ振幅の他方が、求められた複数の前記伝達トルクのうち前記目標伝達トルクとの差異が最小の前記伝達トルクに応じた振幅となるように、前記クラッチ部材及びブレーキ部材の係合及び解放タイミングを定める、
ことを特徴とする、駆動力伝達装置。
【請求項６】
コンピュータを、請求項１から５のいずれか１に記載の前記制御部として機能させることを特徴とするプログラム。
【請求項７】
駆動源により回転駆動させられる入力シャフトと、
前記入力シャフトと同軸上に設けられた出力シャフトと、
一端が前記出力シャフトに連結され当該出力シャフトの軸周方向に配置された弾性部材と、
前記弾性部材の他端に連結され、当該弾性部材の伸縮に伴って前記出力シャフトの軸周方向に往復運動させられる振動子と、
前記振動子と前記入力シャフトの角速度が所定値以下のときに両者を係合させるクラッチ部材と、
前記振動子の角速度がゼロのときに前記振動子を固定部に係合させるブレーキ部材と、
前記クラッチ部材及び前記ブレーキ部材の係合及び解放タイミングを制御することで、前記弾性部材を介して前記入力シャフト及び出力シャフト間で伝達される伝達トルクを制御する制御部と、
を備えた駆動力伝達装置の制御方法であって、
前記振動子の動作が、前記クラッチ部材及び前記ブレーキ部材のいずれからも解放され振動する第１フェーズ、前記クラッチ部材により前記入力シャフトと係合される第２フェーズ、前記第２フェーズ後に前記クラッチ部材及び前記ブレーキ部材のいずれからも解放され振動する第３フェーズ、及び、前記ブレーキ部材により前記固定部と係合される第４フェーズの４フェーズが繰り返されるように、前記クラッチ部材及びブレーキ部材を制御し、
前記第１フェーズにおける前記振動子の振幅である第１フェーズ振幅及び前記第３フェーズにおける前記振動子の振幅である第３フェーズ振幅から求められる、前記第２フェーズにおいて前記弾性部材に蓄積される弾性エネルギと、前記入力シャフト及び出力シャフトの角速度差とから、前記伝達トルクを求め、
求められた前記伝達トルクに応じた前記第１フェーズ振幅及び第３フェーズ振幅に基づいて、前記クラッチ部材及びブレーキ部材の係合及び解放タイミングを定める、
ことを特徴とする、駆動力伝達装置の制御方法。
【発明の詳細な説明】
【技術分野】
【０００１】
本発明は、入力軸の駆動力を間欠的に出力軸に伝達する、いわゆるパルスドライブ式の駆動力伝達装置、その制御方法及びプログラムに関する。
【背景技術】
【０００２】
従来から、入力軸の駆動を、角速度やトルクを変化させて間欠的に出力軸に伝達させる駆動力伝達装置が用いられている。例えば特許文献１では、いわゆるパルスドライブ式の駆動力伝達装置が開示されている。
【０００３】
当該伝達装置では、出力軸の周廻りに弾性部材が配置されている。弾性部材の一端は出力軸に連結され、他端には錘（マス）となる振動子が連結される。振動子は弾性部材の伸縮に伴って、出力軸の周廻りを自由運動（振動）する。所定のタイミング、例えば振動子の角速度が入力軸の回転速度と等しくなるタイミングで、振動子はクラッチにより入力軸と係合される。この係合期間に弾性部材が伸ばされて（または縮められて）弾性エネルギが蓄積される。その後入力軸との係合が解かれた振動子は、さらに所定のタイミング、例えば振動子の角速度がゼロになるタイミングでブレーキによって固定される。このとき、弾性部材が出力軸を付勢することで、出力軸にトルクが伝達される。このように、弾性エネルギを介して入力軸から出力軸にトルクが伝達される。
【先行技術文献】
【特許文献】
【０００４】
【特許文献１】特開２０１５−１３５１７９号公報
【発明の概要】
【発明が解決しようとする課題】
【０００５】
本発明は、特許文献１に開示されたパルスドライブ式の駆動力伝達装置のトルク制御を可能とする手段を提供することを目的とする。
【課題を解決するための手段】
【０００６】
本発明は、駆動力伝達装置に関する。当該装置は、駆動源により回転駆動させられる入力シャフトと、前記入力シャフトと同軸上に設けられた出力シャフトと、一端が前記出力シャフトに連結され当該出力シャフトの軸周方向に配置された弾性部材と、前記弾性部材の他端に連結され、当該弾性部材の伸縮に伴って前記出力シャフトの軸周方向に振動させられる振動子と、前記振動子と前記入力シャフトの角速度が所定値以下のときに両者を係合させるクラッチ部材と、前記振動子の角速度がゼロのときに前記振動子を固定部に係合させるブレーキ部材と、前記クラッチ部材及び前記ブレーキ部材の係合及び解放タイミングを制御することで、前記弾性部材を介して前記入力シャフト及び出力シャフト間で伝達される伝達トルクを制御する制御部と、を備える。前記制御部は、前記振動子の動作が、前記クラッチ部材及び前記ブレーキ部材のいずれからも解放され振動する第１フェーズ、前記クラッチ部材により前記入力シャフトと係合される第２フェーズ、前記第２フェーズ後に前記クラッチ部材及び前記ブレーキ部材のいずれからも解放され振動する第３フェーズ、及び、前記ブレーキ部材により前記固定部と係合される第４フェーズの４フェーズが繰り返されるように、前記クラッチ部材及びブレーキ部材を制御する。また前記制御部は、前記第１フェーズにおける前記振動子の振幅である第１フェーズ振幅及び前記第３フェーズにおける前記振動子の振幅である第３フェーズ振幅から求められる、前記第２フェーズにおいて前記弾性部材に蓄積される弾性エネルギと、前記入力シャフト及び出力シャフトの角速度差とから、前記伝達トルクを求める。さらに前記制御部は、求められた前記伝達トルクに応じた前記第１フェーズ振幅及び第３フェーズ振幅に基づいて、前記クラッチ部材及びブレーキ部材の係合及び解放タイミングを定める。
【０００７】
また、上記発明において好適には、前記制御部は、前記第１フェーズ及び第３フェーズの複数の候補値に対応する複数の前記伝達トルクを求め、求められた複数の前記伝達トルクのうち、目標伝達トルクとの差異が最小の前記伝達トルクに応じた前記第１フェーズ振幅及び第３フェーズ振幅となるように、前記クラッチ部材及びブレーキ部材の係合及び解放タイミングを定める。
【０００８】
また、上記発明において好適には、前記制御部は、目標伝達トルクとの差異が最小となる前記伝達トルクに応じた前記第１フェーズ振幅及び第３フェーズ振幅の候補値の組が複数得られたときに、前記入力シャフト及び出力シャフトの角速度差から求められる最小振幅と、前記弾性部材の強度から求められる最大振幅との両者から相対的に離間した候補値の組に基づいて、前記クラッチ部材及びブレーキ部材の係合及び解放タイミングを定める。
【０００９】
また、上記発明において好適には、前記制御部は、前記目標伝達トルクとの差異が最小となる前記伝達トルクに応じた前記第１フェーズ振幅及び第３フェーズ振幅の候補値の組が複数得られたときに、前記第１フェーズ振幅と第３フェーズ振幅の差異が相対的に大きい候補値の組に基づいて、前記クラッチ部材及びブレーキ部材の係合及び解放タイミングを定める。
【００１０】
また、上記発明において好適には、前記第１フェーズ振幅及び第３フェーズ振幅の一方は固定値に設定され、前記制御部は、前記固定値と、前記第１フェーズ振幅及び第３フェーズ振幅の他方の複数の候補値とに対応する、複数の前記伝達トルクを求め、前記第１フェーズ振幅及び第３フェーズ振幅の他方が、求められた複数の前記伝達トルクのうち前記目標伝達トルクとの差異が最小の前記伝達トルクに応じた振幅となるように、前記クラッチ部材及びブレーキ部材の係合及び解放タイミングを定める。
【００１１】
また、本発明は、プログラムに関する。当該プログラムは、コンピュータを、上記発明に記載の前記制御部として機能させる。
【００１２】
また、本発明は、駆動力伝達装置の制御方法に関する。駆動力伝達装置は、駆動源により回転駆動させられる入力シャフトと、前記入力シャフトと同軸上に設けられた出力シャフトと、一端が前記出力シャフトに連結され当該出力シャフトの軸周方向に配置された弾性部材と、前記弾性部材の他端に連結され、当該弾性部材の伸縮に伴って前記出力シャフトの軸周方向に往復運動させられる振動子と、前記振動子と前記入力シャフトの角速度が所定値以下のときに両者を係合させるクラッチ部材と、前記振動子の角速度がゼロのときに前記振動子を固定部に係合させるブレーキ部材と、前記クラッチ部材及び前記ブレーキ部材の係合及び解放タイミングを制御することで、前記弾性部材を介して前記入力シャフト及び出力シャフト間で伝達される伝達トルクを制御する制御部と、を備える。このような駆動力伝達装置の制御方法として、前記振動子の動作が、前記クラッチ部材及び前記ブレーキ部材のいずれからも解放され振動する第１フェーズ、前記クラッチ部材により前記入力シャフトと係合される第２フェーズ、前記第２フェーズ後に前記クラッチ部材及び前記ブレーキ部材のいずれからも解放され振動する第３フェーズ、及び、前記ブレーキ部材により前記固定部と係合される第４フェーズの４フェーズが繰り返されるように、前記クラッチ部材及びブレーキ部材が制御される。また、前記第１フェーズにおける前記振動子の振幅である第１フェーズ振幅及び前記第３フェーズにおける前記振動子の振幅である第３フェーズ振幅から求められる、前記第２フェーズにおいて前記弾性部材に蓄積される弾性エネルギと、前記入力シャフト及び出力シャフトの角速度差とから、前記伝達トルクが求められる。さらに、求められた前記伝達トルクに応じた前記第１フェーズ振幅及び第３フェーズ振幅に基づいて、前記クラッチ部材及びブレーキ部材の係合及び解放タイミングが定められる。
【発明の効果】
【００１３】
本発明によれば、駆動力伝達装置のトルク制御が可能となる。
【図面の簡単な説明】
【００１４】
【図１】本実施形態に係る駆動力伝達装置の構成を示す模式図である。
【図２】本実施形態に係る駆動力伝達装置の具体的な構成を例示する斜視断面図である。
【図３】本実施形態に係る駆動力伝達装置の動作（フェーズ１）を説明する図である。
【図４】本実施形態に係る駆動力伝達装置の動作（フェーズ２）を説明する図である。
【図５】本実施形態に係る駆動力伝達装置の動作（フェーズ４）を説明する図である。
【図６】本実施形態に係る駆動力伝達装置の１周期分の動作を説明する図である。
【図７】本実施形態に係る駆動力伝達装置の１周期分の動作をトルク変動とともに説明する図である。
【図８】本実施形態に係る駆動力伝達装置の動作を説明する線図である。
【図９】本実施形態に係る駆動力伝達装置の動作を説明する線図である。
【図１０】振幅候補値を抽出するためのメッシュグラフを例示する図である。
【図１１】振幅候補値の抽出及び本実施形態に係る駆動力伝達装置の制御フローを例示するフローチャートである。
【図１２】本実施形態に係る駆動力伝達装置の動作を説明する線図である。
【図１３】振幅候補値を抽出するためのメッシュグラフを例示する図である。
【図１４】振幅候補値の抽出及び本実施形態に係る駆動力伝達装置の制御フローの別例を示すフローチャートである。
【図１５】振幅候補値の抽出及び本実施形態に係る駆動力伝達装置の制御フローの別例を示すフローチャートである。
【図１６】振幅候補値の抽出及び本実施形態に係る駆動力伝達装置の制御フローの別例を示すフローチャートである。
【図１７】振幅候補値を抽出するためのメッシュグラフを例示する図である。
【発明を実施するための形態】
【００１５】
＜全体構成＞
図１に、本実施形態に係る駆動力伝達装置１０の模式図を示す。駆動力伝達装置１０は、入力シャフト１２、出力シャフト１４、伝達部材１６、制御部１９、及び速度センサ２１Ａ，２１Ｂ，２１Ｃを備える。駆動力伝達装置１０は、例えば、車両の内燃機関等の駆動源から、駆動輪に駆動力を伝達する際の変速手段として用いられる。
【００１６】
クラッチ部材２２によって入力シャフト１２と振動子２０とが係合される。このとき、入力シャフト１２によって振動子２０に連結された弾性部材１８が縮められる、または伸ばされる。つまり、入力シャフト１２の運動エネルギが弾性部材１８の弾性エネルギに変換される。
【００１７】
クラッチ部材２２の解放後、ブレーキ部材２４によって振動子２０がケーシング等の固定部１７に係合される。このとき、弾性部材１８の伸縮に応じて出力シャフト１４が付勢される。例えば出力シャフト１４が自然長より伸びていればこれが縮む過程で出力シャフト１４が回転させられる。また出力シャフト１４が自然長より縮んでいればこれが伸びる過程で出力シャフト１４が押し回される。このようにして弾性部材１８の弾性エネルギを介して、入力シャフト１２と出力シャフト１４との間で運動エネルギまたはトルクが伝達される。
【００１８】
＜各構成の詳細＞
入力シャフト１２は、図示しない駆動源により回転駆動させられる。出力シャフト１４は、入力シャフト１２と離間するようにして設けられるとともに、当該入力シャフト１２と同軸上に設けられる。出力シャフト１４は、例えば図１に示すように中空形状であって、その内部に入力シャフト１２が配置されるものであってもよいし、後述する図２のように、入力シャフト１２と同軸上に並んで配置されるものであってもよい。
【００１９】
伝達部材１６は、入力シャフト１２の駆動力を、弾性部材１８を介して出力シャフト１４に伝達する。なお、図１では、伝達部材１６が出力シャフト１４上に２つ設けられているが、この形態に限らない。例えば伝達部材１６は一つであってもよい。また、径方向のバランスを取るために（カウンタウェイトとして）、軸対象に複数の伝達部材１６を設けてもよい。伝達部材１６は、弾性部材１８、振動子２０、クラッチ部材２２及びブレーキ部材２４を備える。
【００２０】
弾性部材１８は、出力シャフト１４に一端が連結されるとともに、他端に振動子２０が連結される。弾性部材１８は、出力シャフト１４の軸心から外れた位置に、軸周回りに配置される。例えば図２に示すように、出力シャフト１４の軸方向端面に、円環状のスロット（リングスロット）を形成するとともに、このスロット内に弾性部材１８を配置する。スロットがガイドとなって、弾性部材１８は出力シャフト１４の軸周に沿って伸縮（弾性振動）させられる。弾性部材１８は、例えばコイルばねから構成されてよい。
【００２１】
弾性部材１８の振動周期は、駆動源の最大回転周期よりも短くなるように形成されていることが好適である。例えば、駆動源を内燃機関として、その最大回転数（最大許容回転数）が６０００ｒｐｍ（＝１００Ｈｚ）であった場合、１００Ｈｚより高い固有振動数ωを備える弾性部材１８を備えることが好適である。このようにすることで、後述するように、入力シャフト１２の一回転中に、複数回に亘って、出力シャフト１４に駆動力を伝達することが可能となる。
【００２２】
振動子２０は、弾性部材１８に連結されており、弾性部材１８の伸縮に伴って出力シャフト１４の軸周方向に沿って振動（往復運動）させられる。振動子２０は、例えば金属等の剛性材料からなり、弾性部材１８とともにスロットに沿って往復移動するような錘（マス）から構成されてもよい。また、図２のように、出力シャフト１４と同軸上に配置されるとともに、弾性部材１８の伸縮に伴って軸周りに回動する伝達シャフト２６であってもよい。
【００２３】
クラッチ部材２２は、振動子２０と入力シャフト１２とを係合させる係合手段である。後述するように、クラッチ部材２２は、振動子２０と入力シャフト１２の角速度が所定値以下、好適には等しいときに両者を係合可能となっている。このような係合タイミングとすることで、係合時のすべり損失を抑制可能となる。なお、角速度が等しいとは、振動子２０と入力シャフト１２の角速度が完全に一致する場合に限らずに、実質的に等しい範囲も含まれる。例えば振動子２０と入力シャフト１２との係合により発生する滑り損失が、当該係合によって伝達される運動エネルギの１０％以下であるような範囲を、角速度が等しい範囲としてもよい。
【００２４】
クラッチ部材２２は、振動子２０と入力シャフト１２との係合／解放を高速に行えるものから構成される。例えば、弾性部材１８（及び振動子２０）の振動数よりも短いサイクルで係合／解放を行えるものであることが好適である。また、制御部１９の制御信号に応じて速やかに係合／解放を行えるものであることが好適である。このことから、クラッチ部材２２は、例えば、係合／解放の動作を電磁石への電力の断続をもって行う、電磁クラッチであってよい。
【００２５】
ブレーキ部材２４は、振動子２０をケーシングなどの固定部１７（非回転部材）に係合させる。後述するように、ブレーキ部材２４は、振動子２０の角速度がゼロであるときに、振動子２０を固定部１７に係合可能となっている。このような係合タイミングとすることで、係合時のすべり損失を抑制可能となる。
【００２６】
なお、角速度がゼロであるとは、実質的にゼロと認められる範囲も含まれる。例えば振動子２０と固定部１７との係合により発生する滑り損失が、当該係合によって弾性部材１８から出力シャフト１４に伝達される運動エネルギの１０％以下であるような範囲を、角速度がゼロを認められる範囲としてもよい。
【００２７】
クラッチ部材２２と同様に、ブレーキ部材２４も、振動子２０の固定／解放を高速に行えるものから構成されることが好適である。加えて、制御部１９の制御信号に応じて速やかに係合／解放を行えるものであることが好適である。このことから、ブレーキ部材２４は、例えば、係合／解放の動作を、電磁石への電力の断続をもって行う、電磁ブレーキから構成される。
【００２８】
速度センサ２１Ａは、入力シャフト１２の角速度（回転速度）を測定する。速度センサ２１Ｂは、振動子２０の角速度を測定する。速度センサ２１Ｃは、出力シャフト１４の角速度を測定する。これらの速度センサ２１Ａ〜２１Ｃは、それぞれの測定値を制御部１９に送信する。
【００２９】
制御部１９は、入力シャフト１２、振動子２０、及び出力シャフト１４の角速度に応じて、クラッチ部材２２及びブレーキ部材２４の動作を制御する。制御部１９は、ＣＰＵ等の演算回路やハードディスク等の記憶手段を備えたコンピュータであってよい。当該コンピュータは、クラッチ部材２２及びブレーキ部材２４の係合／解放タイミングを制御する制御プログラムが記憶されたコンピュータや、組み込みコンピュータであってよい。制御プログラムの実行により、コンピュータは、駆動伝達装置の制御部１９として機能する。また、制御部１９は、速度センサ２１Ａから入力シャフト１２の角速度が入力され、速度センサ２１Ｂから振動子２０の角速度が入力され、また速度センサ２１Ｃから出力シャフト１４の角速度が入力される、入力インターフェイスを備える。
【００３０】
制御部１９は、係合及び解放信号を出力することにより、クラッチ部材２２及びブレーキ部材２４の係合及び解放タイミングを制御する。例えば、電磁クラッチ及び電磁ブレーキの電磁石の導通及び遮断を係合信号及び解放信号によって制御する。後述するように、クラッチ部材２２およびブレーキ部材２４の係合及び解放タイミングを制御することで、弾性部材１８を介して入力シャフト１２と出力シャフト１４との間で伝達される伝達トルクが制御される。
【００３１】
＜駆動力伝達装置の具体的な構成例＞
図２に、駆動力伝達装置１０の具体的な構成を例示する。入力シャフト１２、伝達シャフト２６、及び出力シャフト１４が同軸上に並んで配置されている。入力シャフト１２及び伝達シャフト２６は、軸受２８を介してベース３０に回転可能に支持されている。
【００３２】
入力シャフト１２には、径方向に張り出すようにして、フランジ３２が形成されている。このフランジ３２を挟むようにして、クラッチ部材２２が設けられる。クラッチ部材２２は、可動部２２Ａと励磁部２２Ｂを備える。
【００３３】
励磁部２２Ｂは、図示しない電源から励磁電流が送られ、これにより磁束を生じさせる。励磁部２２Ｂは、円環状の部材であって、入力シャフト１２や伝達シャフト２６とは離間するようにして、ベース３０に固定される。
【００３４】
可動部２２Ａは、金属等の磁性材料から構成された円環状の部材であって、励磁部２２Ｂから生じた磁束に応じて移動可能となっている。可動部２２Ａは、軸方向に当該可動部２２Ａに螺入する締結部３４を介して、伝達シャフト２６に連結されている。締結部３４の軸部３６の長さは、伝達シャフト２６の入力側フランジ３８の軸方向厚さよりも長く形成されている。このような構造を備えることで、可動部２２Ａは、伝達シャフト２６に対して軸周方向には固定され、また、軸方向には移動可能となっている。励磁部２２Ｂに磁束が生じると、可動部２２Ａが軸方向に引き寄せられて、入力シャフト１２のフランジ３２と係合する。
【００３５】
伝達シャフト２６は、入力側フランジ３８、中間フランジ４０、及び出力側フランジ４２を備える。これらのフランジは、入力シャフト１２から出力シャフト１４に向かって、軸方向に沿ってそれぞれ伝達シャフト２６に形成されている。入力側フランジ３８に設けられたクラッチ部材２２の可動部２２Ａが入力シャフト１２と係合すると、伝達シャフト２６は入力シャフト１２と同期回転する。
【００３６】
出力側フランジ４２には、弾性部材１８が連結されている。弾性部材１８は、出力シャフト１４の軸周りに設けられた円環状のスロット４４に配置されており、スロット４４の延設方向に沿った一端が出力側フランジ４２と連結され、他端が出力シャフト１４に連結されている。伝達シャフト２６が入力シャフト１２と係合されているとき、伝達シャフト２６は弾性部材１８を縮めるように付勢する。
【００３７】
中間フランジ４０には、ブレーキ部材２４が設けられる。ブレーキ部材２４は、クラッチ部材２２と同様に、中間フランジ４０を挟むようにして、可動部２４Ａ及び励磁部２４Ｂを備える。可動部２４Ａは、ベース３０に対して軸方向にのみ移動可能となっている。励磁部２４Ｂに磁束が生じると、可動部２４Ａが軸方向に引き寄せられて、伝達シャフト２６と係合する。これにより、伝達シャフト２６の回転が止められる。
【００３８】
入力シャフト１２から出力シャフト１４への駆動力の伝達は、以下のようにして行われる。まず、クラッチ部材２２によって入力シャフト１２と伝達シャフト２６を係合させることで、両者が同期回転する。この同期回転によって、伝達シャフト２６に連結された弾性部材１８が縮められる。さらにクラッチ部材２２を解放してブレーキ部材２４により伝達シャフト２６を固定することで、弾性部材１８は出力シャフト１４に弾性エネルギを伝達する。その結果、入力シャフト１２から出力シャフト１４に駆動力が伝達される。
【００３９】
＜駆動力伝達装置の動作の詳細＞
次に、図３〜図５を用いて、駆動力伝達装置１０による駆動力の伝達について説明する。なお、以下では、入力シャフト１２の回転速度は、出力シャフト１４の回転速度よりも速いものとする。図３に示すように、弾性部材１８は予め軸周回りに付勢されており、その弾性により、出力シャフト１４の軸周方向に沿って伸縮させられる。これに伴って振動子２０も出力シャフト１４の軸周方向に沿って振動（往復移動）させられる。
【００４０】
なお、駆動力の伝達時に、弾性部材１８を振動状態とするために、伝達前の段階（待機段階）で、弾性部材１８を付勢状態にしておくことが好適である。例えば、後述する図５の破線で示すように、弾性部材１８を縮めた状態で、振動子２０及び出力シャフト１４を固定させておく。
【００４１】
図４に示すように、クラッチ部材２２は、振動子２０の往復運動の周期（振動周期）と同期して、入力シャフト１２と振動子２０とを係合させる。言い換えると、弾性部材１８の振動周期と同期して、入力シャフト１２の駆動力を出力シャフト１４に伝達する。
【００４２】
弾性部材１８の振動周期と同期させて駆動力の伝達を行うことで、入力シャフト１２の回転周期に依存しない駆動力の伝達を行うことができる。さらに、振動周期（例えば弾性部材１８の固有振動数）が駆動源の最大回転周期よりも短い弾性部材１８を用いることで、入力シャフト１２の１回転中に複数回に亘り、駆動力の伝達を行うことが可能となる。加えて、駆動力の伝達は間欠的に行われるが、この間欠的な伝達が高速（高周波数）で行われることで、例えばＰＷＭ制御のような、滑らかな駆動力の伝達が可能となる。
【００４３】
また上述したように、上記係合は、振動子２０の角速度と入力シャフト１２の角速度が所定値以下、好適には等しいときに行われる。振動子２０の角速度は、弾性部材１８の弾性エネルギに応じて変化し、振動子２０が振動する一周期のうち、角速度の極値を除いて２回、入力シャフト１２と振動子２０の角速度が等しくなる。この２回のうちのいずれかのタイミングで、クラッチ部材２２は入力シャフト１２と振動子２０とを係合させる。角速度の等しいときに係合を行うことで、すべりによる損失の発生を防止できる。
【００４４】
クラッチ部材２２によって入力シャフト１２と振動子２０とが係合されると、図４上段から下段に示すように、入力シャフト１２と出力シャフト１４の速度差（入力シャフト角速度＞出力シャフト角速度）に応じて、弾性部材１８が縮められて、当該弾性部材１８の弾性エネルギが蓄積される。すなわち、入力シャフト１２の運動エネルギが、弾性部材１８の弾性エネルギに変換される。
【００４５】
さらに図５に示すように、クラッチ部材２２を解放するとともに、ブレーキ部材２４によって振動子２０を固定する。このとき、弾性部材１８は、蓄積した弾性エネルギを出力シャフト１４に伝達する。言い換えると、振動子２０の固定に伴い、縮められた弾性部材１８は、自然長に伸張するために、出力シャフト１４を回転させる（押し回す）。以上のようにして、入力シャフト１２から出力シャフト１４に駆動力が伝達される。
【００４６】
また、ブレーキ部材２４による係合は、振動子２０の角速度がゼロであるときに行われる。このようにすることで、ブレーキ部材２４を介した振動子２０と固定部１７との係合時におけるすべり損失の発生を抑制できる。
【００４７】
弾性部材１８を介した、入力シャフト１２から出力シャフト１４への駆動力の伝達は、以下のように数値で表すことができる。例えば、入力シャフト１２の角速度と出力シャフト１４の角速度との比が５：３である場合、クラッチ部材２２の係合中の差動分である２／５の入力エネルギは、弾性エネルギとして弾性部材１８に保存され、残りの３／５のエネルギが出力シャフト１４に伝達される。
【００４８】
図６には、上述した駆動伝達に伴う、入力シャフト１２、振動子２０、及び出力シャフト１４の速度変化が例示されている。また、図７には、図６のタイムチャートに加えて、これと同期した、弾性部材１８の変位、クラッチ部材２２の係合によるトルク（ＬＵ１トルク）、ブレーキ部材２４の係合によるトルク（ＬＵ２トルク）、及び弾性部材１８によるばね伝達トルクのタイムチャートが示されている。
【００４９】
図６，７の第１フェーズ（ｐｈａｓｅ１）で示すように、振動子２０はクラッチ部材２２及びブレーキ部材２４から解放され、出力シャフト１４の軸周方向に沿って往復運動（単振動）する。このとき、振動子２０の最大角速度は、入力シャフト１２の角速度よりも大きくなる。
【００５０】
図６，７の第２フェーズ（ｐｈａｓｅ２）で示すように、振動子２０の角速度と入力シャフト１２の角速度が所定値以下、好適には等しいときに、クラッチ部材２２によって入力シャフト１２と振動子２０が係合される。係合中は振動子２０と入力シャフト１２とが等速度となる。
【００５１】
図６，７の第３フェーズ（ｐｈａｓｅ３）で示すように、弾性部材１８に弾性エネルギを蓄積させた（縮めた）のち、クラッチ部材２２による係合を解放する。クラッチ部材２２及びブレーキ部材２４に解放され振動する第３フェーズにて振動子２０の角速度がゼロになったときに、図６，７の第４フェーズ（ｐｈａｓｅ４）で示すように、ブレーキ部材２４によって振動子２０が固定部１７に係合される。弾性部材１８の弾性エネルギが出力シャフト１４に伝達された後に、ブレーキ部材２４が解放され振動子２０は再び往復運動する（第１フェーズ）。以降、第１〜第４フェーズが順次繰り返される。
【００５２】
図８には、第１〜第４フェーズの角速度や振幅の変化を説明する線図が示されている。この線図では、横軸が角速度、縦軸が弾性部材１８の変位を表している。なお、横軸の角速度は標準化処理されている。すなわち、横軸の値は、振動子２０の角速度から（当該振動子２０が連結されている）出力シャフト１４の角速度ｄθＯ／ｄｔを引いた後、弾性部材１８の固有振動数ωで割った値が示されている。したがって図８では、出力シャフト１４の角速度ｄθＯ／ｄｔは０に変換され、また固定部１７（速度＝０）は−ｄθＯ／ｄｔ×１／ωの座標にプロットされる。
【００５３】
なお、以下では、明細書の記載規格であるＪＩＳ規格Ｘ０２０８−１９８３との兼ね合いから、数式及び図と、明細書中の説明とで記号の表記を下記のように書き分ける。これらは同一のものを指すものとする。
【００５４】
【数１】
0006311735.tif 000002
【００５５】
図８の線図において、半径は振動子２０の振幅を表す。最小振幅Ａｍｉｎは振動子２０の角速度ｄθ／ｄｔが入力シャフト１２及び出力シャフト１４の角速度の大きい方と等速度となるための限界条件であり、図８に示す線図では入力シャフト１２の角速度ｄθｉ／ｄｔと等しくなるように設定されている。上述したように、図８の線図では横軸の単位は標準化されているから、これを考慮すると最小振幅Ａｍｉｎは、下記数式（Ａ）のように入力シャフト１２及び出力シャフト１４の角速度差及び弾性部材１８の固有振動数ωから求められる。
【００５６】
【数２】
0006311735.tif 000003
【００５７】
最大振幅Ａｍａｘは弾性部材１８の強度限界を示すものであり、これ以上弾性部材１８が伸張されると破損に至る境界値を表している。この最大振幅Ａｍａｘは弾性部材１８の強度に関する仕様等により予め得ることができる。
【００５８】
図８について、フェーズ１にて振動子２０が振幅Ａ１にて振動する。振動子２０の角速度ｄθ／ｄｔが入力シャフト１２の角速度ｄθｉ／ｄｔ（標準化のもとでは（ｄθｉ／ｄｔ−ｄθＯ／ｄｔ）×１／ω）と等しくなるとクラッチ部材２２により振動子２０が入力シャフト１２と係合される。この係合期間（＝フェーズ２の時間）はｔＣＬで表される。この係合により振動子２０は角速度ｄθｉ／ｄｔ（標準化のもとでは（ｄθｉ／ｄｔ−ｄθＯ／ｄｔ）×１／ω）のまま振幅がＡ２に増加する。さらにフェーズ３にて係合が解放され、振動子２０が振動してその角速度ｄθ／ｄｔがゼロ（標準化のもとでは−ｄθＯ／ｄｔ×１／ω）になると（固定部１７を示す縦線に一致すると）ブレーキ部材２４により振動子２０が固定部１７と係合される。この係合期間（＝フェーズ４の時間）はｔＢＲで表される。この係合により振動子２０の振幅はＡ１に戻される。
【００５９】
＜駆動力伝達装置の動作を表すモデル式＞
制御部１９の記憶部には、上述の第１から第４フェーズのモデル式が記憶されている。このモデル式では、駆動力伝達装置の動作時の摩擦による損失を無視して、振動子２０及び弾性部材１８の運動をばね・マス系の運動と捉える。まず第１フェーズ（時刻ｔ０からｔ１）について、振動子２０の変位θ（ｔ）及び角速度ｄθ（ｔ）／ｄｔは、下記数式（１）及び数式（２）のように表すことができる。
【００６０】
【数３】
0006311735.tif 000004
【００６１】
【数４】
0006311735.tif 000005
【００６２】
ここで、ｄθＯ／ｄｔは出力シャフト１４の角速度、ｔは時刻、Ａ１は第１フェーズにおける弾性部材１８（及び振動子２０）の振幅（第１フェーズ振幅）、α１は初期位相を表している。
【００６３】
ここで、第１フェーズ振幅Ａ１について、厳密には振動子２０の運動によって第１フェーズ期間内で振幅Ａ１は減衰する。この減衰を考慮すると、第１フェーズ振幅Ａ１は第１フェーズ開始時点の振幅といってもよい。しかしながら、第１フェーズの期間が十分に短い場合、当該期間内の減衰は実質的に無視できる。そこで以下では、第１フェーズ期間中の振幅をＡ１で表すものとする。
【００６４】
引き続き、数式（１），（２）のパラメータにつき、ωは振動子２０の慣性Ｉｍと弾性部材１８の捩り剛性ｋを用いた下記数式（Ｂ）で求められる固有角振動数である。
【００６５】
【数５】
0006311735.tif 000006
【００６６】
次に、第２フェーズ（時刻ｔ１からｔ２）では、クラッチ部材２２による係合のため、入力シャフト１２と振動子２０は同期しながら回転する。このことから、下記数式（３）及び数式（４）が導かれる。
【００６７】
【数６】
0006311735.tif 000007
【００６８】
【数７】
0006311735.tif 000008
【００６９】
第３フェーズ（時刻ｔ２からｔ３）では、振動子２０はクラッチ部材２２及びブレーキ部材２４から解放されるため、第１フェーズと同様に単振動する。このことから、下記数式（５）及び数式（６）が導かれる。
【００７０】
【数８】
0006311735.tif 000009
【００７１】
【数９】
0006311735.tif 000010
【００７２】
ここで、Ａ２は第３フェーズにおける振動子２０（及び弾性部材１８）の振幅（第３フェーズ振幅）、α２は第３フェーズにおける初期位相を表している。
【００７３】
第４フェーズ（時刻ｔ３からｔ４）では、ブレーキ部材２４により振動子２０が固定されることから、下記数式（７）及び数式（８）が導かれる。
【００７４】
【数１０】
0006311735.tif 000011
【００７５】
【数１１】
0006311735.tif 000012
【００７６】
次に、各フェーズの終了時点（次のフェーズに移行する直前）における弾性部材１８（及び振動子２０）の変位εｉ（ｉ＝１，…，４）に関し（図８参照）、数式（１），（２），（４）からε１について下記数式（９）が導き出される。
【００７７】
【数１２】
0006311735.tif 000013
【００７８】
次に、数式（４），（５），（６）より、下記数式（１０）が導き出される。
【００７９】
【数１３】
0006311735.tif 000014
【００８０】
次に、数式（４），（５），（８）より、下記数式（１１）が導き出される。
【００８１】
【数１４】
0006311735.tif 000015
【００８２】
最後に、数式（１），（２），（７）より、フェーズ４からフェーズ１に復帰すると仮定すると、下記数式（１２）が導き出される。
【００８３】
【数１５】
0006311735.tif 000016
【００８４】
上記のうち、フェーズ１、３での弾性部材１８（及び振動子２０）の変位の変化量をβｉ（ｉ＝１，３）とおくと、以下の数式（１３），（１４）が得られる。
【００８５】
【数１６】
0006311735.tif 000017
【００８６】
以上から、各フェーズの時間は以下の数式（１５）〜（１８）によって表される。
【００８７】
【数１７】
0006311735.tif 000018
【００８８】
次に、本実施形態に係る駆動力伝達装置１０の１周期（第１フェーズから第４フェーズまでの期間）に入力シャフト１２と出力シャフト１４との間で伝達されるエネルギＥ及びトルクについて説明する。入力シャフト１２及び出力シャフト１４に掛かるトルクの平均値をそれぞれＴｉ，ＴＯとすると、エネルギＥとの関係は以下の数式（１９）で表される。
【００８９】
【数１８】
0006311735.tif 000019
【００９０】
数式（１９）から、下記数式（２０），（２１）が導き出される。
【００９１】
【数１９】
0006311735.tif 000020
【００９２】
また、フェーズ２、つまりクラッチ部材２２の係合中に弾性部材１８に蓄積されるエネルギΔＥｃは、数式（９），（１０）、及びばね定数ｋを用いて、下記数式（２２）のように表される。
【００９３】
【数２０】
0006311735.tif 000021
【００９４】
数式（２２）から、クラッチ部材２２の係合中に弾性部材１８に蓄積されるエネルギΔＥｃは、図９のハッチングで示すように、第１フェーズ振幅Ａ１及び第３フェーズ振幅Ａ２に囲まれた面積で表すことができる。
【００９５】
フェーズ２、つまりクラッチ部材２２の係合中に、駆動源から駆動力伝達装置１０に投入されるエネルギは、下記数式（２３）のように表すことができる。
【００９６】
【数２１】
0006311735.tif 000022
【００９７】
上記数式（２２），（２３）は同じエネルギを表すため、数式（１９），（２２），（２３）から、下記数式（２４）が導き出される。
【００９８】
【数２２】
0006311735.tif 000023
【００９９】
数式（２４）では、入力シャフト１２から出力シャフト１４への駆動力（エネルギ）の伝達は、一部が弾性エネルギΔＥｃとして弾性部材１８に保存され、残りが入力シャフト１２と出力シャフト１４との角速度差（ｄθｉ／ｄｔ−ｄθＯ／ｄｔ）に応じて出力シャフト１４に直接伝達されることが示されている。このように、本実施形態では、弾性エネルギと、入力シャフト１２及び出力シャフト１４の角速度差とから、入力シャフト１２と出力シャフト１４との間で伝達される伝達トルクを求めている。
【０１００】
以上説明した数式のうち、数式（２２）から、任意の第１フェーズ振幅Ａ１及び第１フェーズ振幅Ａ２を代入すると、これに対応して弾性部材１８に蓄積されるエネルギΔＥｃが求められる。さらに入力シャフト１２及び出力シャフト１４の速度ｄθｉ／ｄｔ，ｄθＯ／ｄｔはそれぞれ速度センサ２１Ａ，２１Ｃから既知であることから、ｄθｉ／ｄｔ，ｄθＯ／ｄｔ，及びΔＥｃを数式（２４）に代入すると、これに対応する伝達エネルギＥ（入力シャフト１２から出力シャフト１４に伝達されるエネルギ）が求められる。
【０１０１】
さらに第１フェーズ振幅Ａ１、入力シャフト１２の角速度ｄθｉ／ｄｔ、出力シャフト１４の角速度ｄθＯ／ｄｔ、及び既知である弾性部材１８の固有振動数ωを数式（９）に代入することで、フェーズ１における弾性部材１８の変位ε１が求められる。また数式（１２）から、フェーズ４における弾性部材１８の変位ε４が求められる。さらに数式（１３）から、フェーズ１における弾性部材１８の変位の変化量β１が求められる。
【０１０２】
また、第３フェーズ振幅Ａ２、入力シャフト１２の角速度ｄθｉ／ｄｔ、出力シャフト１４の角速度ｄθＯ／ｄｔ、及び弾性部材１８の固有振動数ωを数式（１０）に代入することで、フェーズ２における弾性部材１８の変位ε２が求められる。また数式（１１）から、フェーズ３における弾性部材１８の変位ε３が求められる。さらに数式（１４）から、フェーズ３における弾性部材１８の変位の変化量β３が求められる。
【０１０３】
各フェーズの弾性部材１８の変位ε１〜ε４、及びフェーズ１、３の弾性部材１８の変位の変化量β１，β３が求められることで、数式（１５）〜（１８）にてそれぞれ各フェーズの時間（期間）ｔ１−ｔ０（第１フェーズの時間），ｔ２−ｔ１（第２フェーズの時間），ｔ３−ｔ２（第３フェーズの時間），ｔ４−ｔ３（第４フェーズの時間）が求められる。さらにこれらを連立することで、各時刻ｔ１，ｔ２，ｔ３，ｔ４が求められる。
【０１０４】
数式（２４）にて求めた伝達エネルギＥと、上記に求めた時刻ｔ４，ｔ０、及び速度センサ２１Ｃから既知である出力シャフト１４の角速度ｄθＯ／ｄｔを数式（２１）に代入することで、入力シャフト１２と出力シャフト１４との間で伝達される伝達トルクである出力トルクＴＯが求められる。
【０１０５】
＜駆動力伝達装置の制御＞
以上説明したように、本実施形態では、第１フェーズ振幅Ａ１及び第３フェーズ振幅Ａ２、ならびに、速度センサ２１Ａ，２１Ｃからそれぞれ既知である入力シャフト１２の角速度ｄθｉ／ｄｔ及び出力シャフト１４の角速度ｄθＯ／ｄｔから、伝達トルクである出力トルクＴＯを求めることができる。制御部１９は、求められた出力トルクＴＯに対応する第１フェーズ振幅Ａ１及び第３フェーズ振幅Ａ２に基づいて、クラッチ部材２２及びブレーキ部材２４の係合及び解放タイミングを定める。具体的には、第１フェーズ振幅Ａ１及び第３フェーズ振幅Ａ２に対応する時刻ｔ１でクラッチ部材２２を係合状態にし、時刻ｔ２で解放状態に切り替える。また時刻ｔ３でブレーキ部材２４を係合状態にし、時刻ｔ４で解放状態に切り替える。
【０１０６】
制御部１９は、第１フェーズ振幅Ａ１及び第３フェーズ振幅Ａ２に対してそれぞれ複数の候補値を上記数式に代入してそれぞれの候補値の組に対する出力トルクＴＯ（伝達トルク）を得る。さらに制御部１９は、これらの出力トルクＴＯのうち、予め与えられた目標伝達トルクＴｒｅｆとの差異が最小となる出力トルクＴＯ＿ａを求め、これに対応する第１フェーズ振幅Ａ１及び第３フェーズ振幅Ａ２に基づいてクラッチ部材２２及びブレーキ部材２４の係合及び解放タイミングを定める。このようにすることで、駆動力伝達装置１０のトルク制御が可能となる。
【０１０７】
図１０には、第１フェーズ振幅Ａ１及び第３フェーズ振幅Ａ２の候補値を求めるためのメッシュグラフが例示されている。横軸は第３フェーズ振幅Ａ２の候補値を示し、横軸は第１フェーズ振幅Ａ１の候補値が示される。また、メッシュの粗さはクラッチ部材２２、ブレーキ部材２４の応答速度や弾性部材１８のばね特性等に応じて適宜定められる。
【０１０８】
本実施形態においては、出力シャフトの角速度ｄθＯ／ｄｔが入力シャフト１２の角速度ｄθｉ／ｄｔよりも遅い減速伝達を例に採っているので、図１０のメッシュグラフでは、振幅Ａ１＝Ａ２となるラインよりも図面右下側の領域が候補値の領域となる。さらにこの領域に最大振幅Ａｍａｘ及び最小振幅Ａｍｉｎを設けると、最終的に、第１フェーズ振幅Ａ１及び第３フェーズ振幅Ａ２の候補値は図１０のハッチングの領域（候補領域）内から抽出される。
【０１０９】
具体的には図１１に示すフローチャートに沿って、制御部１９による第１フェーズ振幅Ａ１及び第３フェーズ振幅Ａ２の抽出及び駆動力伝達装置１０の制御が行われる。制御部１９は、図１０の候補領域から任意の第１フェーズ振幅Ａ１及び第３フェーズ振幅Ａ２の候補値を抽出する（Ｓ１０）。さらに上述した数式に基づいて、抽出した振幅候補値Ａ１，Ａ２に対応する出力トルクＴＯを求める（Ｓ１２）。さらに制御部１９は、候補領域から全ての振幅候補値Ａ１，Ａ２の組が抽出されたか否かを判定する（Ｓ１４）。候補領域に未抽出の振幅候補値Ａ１，Ａ２の組がある場合には新しい振幅候補値Ａ１，Ａ２を抽出して（Ｓ１６）、再びステップＳ１２に戻る。
【０１１０】
ステップＳ１４にて候補領域から全ての振幅候補値Ａ１，Ａ２の組が抽出された場合には、制御部１９は、算出された各出力トルクＴＯと目標伝達トルクＴｒｅｆとの差異が最小となる出力トルクＴＯ＿ａを求める（Ｓ１８）。さらに制御部１９は求めた出力トルクＴＯ＿ａに応じた振幅Ａ１，Ａ２及び時刻ｔ１，ｔ２，ｔ３，ｔ４に基づいて、クラッチ部材２２及びブレーキ部材２４の係合及び解放タイミングを制御する（Ｓ２０）。さらに次回の制御周期まで待機して（Ｓ２２）、その後ステップＳ１０に戻る。
【０１１１】
なお、図９に示したように、第１フェーズ振幅Ａ１及び第３フェーズ振幅Ａ２で囲まれる面積が弾性エネルギΔＥｃを表す。このとき、図１２の第１フェーズ振幅Ａ１＿１及び第３フェーズ振幅Ａ２＿１の組、ならびに第１フェーズ振幅Ａ１＿２及び第３フェーズ振幅Ａ２＿２の組のように、所定の弾性エネルギΔＥｃを満たす第１フェーズ振幅Ａ１及び第３フェーズ振幅Ａ２の組み合わせが複数成立する可能性がある。つまり、目標伝達トルクＴｒｅｆとの差異が最小となる出力トルクＴＯ＿ａが複数成立する可能性がある。すなわち、図１０のメッシュグラフを用いて説明すると、例えば図１３の目標伝達トルクライン上のＳ１〜Ｓ４のように、振幅候補値のメッシュグラフに目標伝達トルクを満たす第１フェーズ振幅Ａ１及び第３フェーズ振幅Ａ２の組が複数成立する可能性がある。
【０１１２】
制御部１９は、これらの振幅候補値の組の中から、適切なものを抽出する。例えば、現在設定されている第１フェーズ振幅Ａ１及び第３フェーズ振幅Ａ２からの変化量が最も少ないものを抽出する。
【０１１３】
また制御部１９は、最小振幅Ａｍｉｎ及び最大振幅Ａｍａｘから相対的に離間された振幅候補値の組を抽出してもよい。上述したように、振動子２０の振動の過程でその振幅が減衰する。したがって振動子２０の振幅を最小振幅Ａｍｉｎに設定すると、減衰により入力シャフト１２との同期が取れなくなるおそれがある。
【０１１４】
また、上述したように、最大振幅Ａｍａｘは弾性部材１８の強度から求められる限界値であり、仮にクラッチ部材２２に応答遅れ等が生じると弾性部材１８の振幅が最大振幅Ａｍａｘを超過して破損に至るおそれがある。
【０１１５】
そこで制御部１９は、最小振幅Ａｍｉｎ及び最大振幅Ａｍａｘから相対的に離間された振幅候補値の組を抽出する。図１３に示すメッシュグラフでは、Ｓ３で示す組がこの要求に最も適ったものとなる。
【０１１６】
具体的には、図１４に示すフローチャートに沿って、制御部１９は振幅候補値の組の抽出及び駆動力伝達装置１０の制御を行う。図１４のフローチャートは、図１１のフローチャートに対して、ステップＳ１８とステップＳ２０の間にステップＳ２４及びＳ２６が挿入されたものである。以下の説明では、図１１にて既に説明したステップについては適宜説明を省略する。
【０１１７】
ステップＳ１８にて目標伝達トルクＴｒｅｆとの差異が最小となる出力トルクＴＯ＿ａが求められると、制御部１９は出力トルクＴＯ＿ａとなる振幅候補値Ａ１，Ａ２の組が複数抽出されたか否かを判定する（Ｓ２４）。単一の振幅候補値Ａ１，Ａ２の組しか抽出されていない場合はステップＳ２０に進む。
【０１１８】
出力トルクＴＯ＿ａとなる振幅候補値Ａ１，Ａ２の組が複数抽出された場合には、制御部１９は、下記数式（２５）に基づいて、最小振幅Ａｍｉｎ及び最大振幅Ａｍａｘから相対的に離間された振幅候補値Ａ１，Ａ２の組を抽出する（Ｓ２６）。抽出後、ステップＳ２０に進む。
【０１１９】
【数２３】
0006311735.tif 000024
【０１２０】
また制御部１９は、出力トルクＴＯ＿ａとなる振幅候補値Ａ１，Ａ２の組が複数抽出された場合、第１フェーズ振幅Ａ１と第３フェーズ振幅Ａ２の差異が相対的に大きい候補値の組を抽出してもよい。
【０１２１】
第１フェーズ振幅Ａ１と第３フェーズ振幅Ａ２が近接するほど、第１フェーズ振幅Ａ１から第３フェーズ振幅Ａ２への移行期間が短くなる。当該移行期間ではクラッチ部材２２が係合動作及び解放動作を行っており、これら係合動作及び解放動作に係る時間よりも移行期間が短くなると、クラッチ部材２２の応答不全に繋がるおそれがある。
【０１２２】
そこで制御部１９は、第１フェーズ振幅Ａ１と第３フェーズ振幅Ａ２の差異が相対的に大きい振幅候補値の組を抽出する。図１３に示すメッシュグラフでは、Ｓ４で示す組がこの要求に最も適ったものとなる。
【０１２３】
具体的には、図１５に示すフローチャートに沿って、制御部１９は振幅候補値の組の抽出及び駆動力伝達装置１０の制御を行う。図１５のフローチャートは、図１４のフローチャートについて、ステップＳ２６をステップＳ２８に置き換えたものである。以下の説明では、図１１，１４にて既に説明したステップについては適宜説明を省略する。
【０１２４】
ステップＳ１８にて目標伝達トルクＴｒｅｆとの差異が最小となる出力トルクＴＯ＿ａに対応する振幅候補値Ａ１，Ａ２の組が複数抽出された場合には、制御部１９は、下記数式（２６）に基づいて、第１フェーズ振幅Ａ１と第３フェーズ振幅Ａ２の差異が相対的に大きい振幅候補値の組を抽出する（Ｓ２８）。抽出後、ステップＳ２０に進む。
【０１２５】
【数２４】
0006311735.tif 000025
【０１２６】
また、最小振幅Ａｍｉｎ及び最大振幅Ａｍａｘから相対的に離間されているもの、第１フェーズ振幅Ａ１と第３フェーズ振幅Ａ２の差異が相対的に大きいもの、という２つの抽出基準を総合的に判断して、振幅候補値の組を抽出してもよい。例えば数式（２５），（２６）に代えて、下記数式（２７）に基づいて、振幅候補値の組を抽出してもよい。
【０１２７】
【数２５】
0006311735.tif 000026
ここで、数式（２７）中、ｗは重み係数であり、最小振幅Ａｍｉｎ及び最大振幅Ａｍａｘから離間させるとの条件と、第１フェーズ振幅Ａ１と第３フェーズ振幅Ａ２の差異を広げるとの条件のどちらを優先させるかを適宜変更することができる。
【０１２８】
また、第１フェーズ振幅Ａ１及び第３フェーズ振幅Ａ２の一方が固定値として設定されている場合は、その固定値及び目標伝達トルクＴｒｅｆに基づいて、第１フェーズ振幅Ａ１及び第３フェーズ振幅Ａ２の他方の値を求めてもよい。例えば制御の安定性を図るために、第１フェーズの振幅Ａ１は固定値に設定されるような場合に、このような抽出が有効となる。
【０１２９】
具体的には図１６に示すフローチャートに沿って、制御部１９による第１フェーズ振幅Ａ１及び第３フェーズ振幅Ａ２の抽出及び駆動力伝達装置１０の制御が行われる。なお、図１６に示すフローチャートのうち、図１１のフローチャートと同一の符号が付されたステップについては、適宜説明を省略する。
【０１３０】
制御部１９は、第１フェーズ振幅Ａ１及び第３フェーズ振幅Ａ２の候補値のうち、固定値に設定されていない振幅Ａｎの候補を、図１７の候補領域から抽出する（Ｓ３０）。
【０１３１】
なお、図１７では、固定値に設定された振幅候補値Ａｍを第１フェーズ振幅Ａ１＿ｋとし、固定値に設定されていない振幅候補値Ａｎを第３フェーズ振幅Ａ２としている。また、図１７に示されているように、第１フェーズ振幅Ａ１及び第３フェーズ振幅Ａ２の候補値のうち一方を固定すると、目標伝達トルクラインとの交点は一点（Ｓ４）のみとなる。このことから、図１６のフローチャートでは、図１４及び図１５のように出力トルクＴＯ＿ａを満たす振幅候補値Ａ１，Ａ２の組が複数生じることは理論的には生じない。
【０１３２】
ステップＳ３０の後、制御部１９は、上述した数式に基づいて、固定値Ａｍ（＝Ａ１＿ｋ）と抽出した振幅候補値Ａｎに対応する出力トルクＴＯを求める（Ｓ３２）。さらに制御部１９は、候補領域から全ての振幅候補値Ａｎが抽出されたか否かを判定する（Ｓ３４）。候補領域に未抽出の振幅候補値Ａｎの組がある場合には新しい振幅候補値Ａｎを抽出して（Ｓ１６）、再びステップＳ３２に戻る。
【０１３３】
ステップＳ３４にて候補領域から全ての振幅候補値Ａｎが抽出された場合には、制御部１９は、算出された各出力トルクＴＯと目標伝達トルクＴｒｅｆとの差異が最小となる出力トルクＴＯ＿ａを求める（Ｓ１８）。さらに制御部１９は求めた出力トルクＴＯ＿ａに応じた振幅Ａ１，Ａ２及び時刻ｔ１，ｔ２，ｔ３，ｔ４に基づいて、クラッチ部材２２及びブレーキ部材２４の係合及び解放タイミングを制御する（Ｓ２０）。さらに次回の制御周期まで待機して（Ｓ２２）、その後ステップＳ３０に戻る。
【符号の説明】
【０１３４】
１０  駆動力伝達装置、１２  入力シャフト、１４  出力シャフト、１６  伝達部材、１７  固定部、１８  弾性部材、１９  制御部、２０  振動子、２１Ａ，２１Ｂ，２１Ｃ  速度センサ、２２  クラッチ部材、２４  ブレーキ部材。
【図１】
0006311735.tif 000027
【図２】
0006311735.tif 000028
【図３】
0006311735.tif 000029
【図４】
0006311735.tif 000030
【図５】
0006311735.tif 000031
【図６】
0006311735.tif 000032
【図７】
0006311735.tif 000033
【図８】
0006311735.tif 000034
【図９】
0006311735.tif 000035
【図１０】
0006311735.tif 000036
【図１１】
0006311735.tif 000037
【図１２】
0006311735.tif 000038
【図１３】
0006311735.tif 000039
【図１４】
0006311735.tif 000040
【図１５】
0006311735.tif 000041
【図１６】
0006311735.tif 000042
【図１７】
0006311735.tif 000043